(57)【要約】【課題】待ち行列管理システムを提供する。【解決手段】本実施形態による待ち行列管理システムは、プロセッサとメモリとを含むデータサーバシステムを含む。待ち行列管理システムは、来園者の区域への到着の概略の時間的期間の指示を含む予約要求を受信するように構成されたデータサーバシステムのインターフェースシステムを含む。加えて、待ち行列管理システムは、アトラクションにアクセスするための予約スロットを来園者の識別情報に相関付けるように構成されたデータサーバシステムの予約権利割付システムを含む。また、待ち行列管理システムは、識別情報と関連付けられている携帯式識別機構が当該区域へ到着したときを判定するように構成されたデータサーバシステムの検知システムと、特定の時間ウインドーでのアトラクションにアクセスする予約を確立するように構成されたデータサーバシステムの予約割当システムと、を含む。【選択図】図１
2019071121.tif 000002
【特許請求の範囲】
【請求項１】
少なくとも１つのプロセッサ及びメモリを含むデータサーバシステムと、
来園者のある区域への到着の概略の時間的期間の指示を含む予約要求を受信するように構成された前記データサーバシステムのインターフェースシステムと、
アトラクションにアクセスするための予約スロットを前記来園者の識別情報に相関付けるように構成された前記データサーバシステムの予約権利割当システムと、
前記識別情報と関連付けられている携帯式識別機構が前記区域へ到着したときを判定するように構成された前記データサーバシステムの検知システムと、
特定の時間ウィンドウでの前記アトラクションにアクセスする予約を確立するように構成されている、前記データサーバシステムの予約割当システムと、を備える
待ち行列管理システム。
【請求項２】
前記予約割当システムは、前記来園者の前記区域への到着の前記概略の時間的期間の前記指示に基づいて、前記予約スロットを前記識別情報に相関付けるように構成される、請求項１に記載の待ち行列管理システム。
【請求項３】
前記特定の時間ウィンドウは前記概略の時間的期間よりも狭い、請求項１に記載の待ち行列管理システム。
【請求項４】
前記インターフェースシステムは、前記予約要求を、電話システム、インターネットシステム、テキストメッセージングシステム、又はポイント・オブ・セールデバイスシステムを介して受信するように構成される、請求項１に記載の待ち行列管理システム。
【請求項５】
前記識別情報を前記携帯式識別機構と関連付けるように構成された携帯式識別機構割当システムを備える、請求項１に記載の待ち行列管理システム。
【請求項６】
前記携帯式識別機構は、セルラー電話、ポケベル、携帯式コンピュータ、カード、又は一体型回路構成を含む着用式機構である、請求項１に記載の待ち行列管理システム。
【請求項７】
前記携帯式識別機構は、前記識別情報を記憶し当該携帯式識別機構の位置検知を可能にさせる前記一体型回路構成を含む腕輪を備える、請求項６に記載の待ち行列管理システム。
【請求項８】
前記携帯式識別機構は、前記検知システムを用いて登録される来園者の生体認証データである、請求項１に記載の待ち行列管理システム。
【請求項９】
正門を通っての入場中に前記携帯式識別機構を検知し、当該検知された入場を前記検知システムへ伝達するように構成された来園者エントリシステム、又は空間範囲内の前記携帯式識別システムの所在地を検知し、当該所在地を前記検知システムへ伝達するように構成された位置モニタ、を備える、請求項１に記載の待ち行列管理システム。
【請求項１０】
前記携帯式識別機構とインターフェースし、当該携帯式識別機構と関連付けられている権利を判定するために前記データサーバシステムと通信するように構成された少なくとも１つのデータリーダを備える、請求項１に記載の待ち行列管理システム。
【請求項１１】
前記少なくとも１つのデータリーダは前記携帯式識別機構のメモリを読み出すように構成される、請求項１０に記載の待ち行列管理システム。
【請求項１２】
前記待ち行列管理システムは前記携帯式識別機構を備え、当該携帯式識別機構は前記予約を変更するために前記予約割当システムとインターフェースするように構成される、請求項１に記載の待ち行列管理システム。
【請求項１３】
前記携帯式識別機構を前記アトラクションへ入る際に及び／又は前記アトラクションの待ち行列の中へ入る際に検知するように構成された少なくとも１つのアクセス確認機構を備える、請求項１に記載の待ち行列管理システム。
【請求項１４】
前記携帯式識別機構を前記アトラクションから出る際に検知するように構成されたアクセス確認機構を備える、請求項１に記載の待ち行列管理システム。
【請求項１５】
アトラクションにアクセスするのに前記携帯式識別機構が使用された回数を求め、当該携帯式識別機構を使用しての当該アトラクションへの以降のアクセスを、前記回数及び繰り返しアクセスについての閾値に基づいて制限する又は許容するように構成されたアクセス管理機構を備える、請求項１に記載の待ち行列管理システム。
【請求項１６】
前記携帯式識別機構を監視することに基づいて、予約待ち行列に対しての待機列を通って入ることを許容される来園者の比率を調節するように構成されたアクセス管理機構を備える、請求項１に記載の待ち行列管理システム。
【請求項１７】
異なった携帯式識別機構に割り当てられている異なった予約に対する前記予約の電子的な取引を円滑化するように構成された予約取引システムを備える、請求項１に記載の待ち行列管理システム。
【請求項１８】
前記予約取引システムは、外部からは来園者によって又は内部からは運営管理者によって関与されるように構成される、請求項１７に記載の待ち行列管理システム。
【請求項１９】
前記携帯式識別機構は前記予約取引システムとインターフェースしている、請求項１７に記載の待ち行列管理システム。
【請求項２０】
前記アトラクションの状態及び／又は前記アトラクションと関連付けられている待ち行列の特性を監視し、対応するデータを前記データサーバシステムへ伝達するように構成されたアトラクションシステムを備える、請求項１に記載の待ち行列管理システム。
【請求項２１】
来園者の識別情報をデータサーバシステムにて受信する段階と、
前記識別情報を前記データサーバシステムのメモリに記憶する段階と、
前記データサーバシステムにて、前記来園者のある区域への到着の概略の時間的期間を含む当該来園者のための予約要求を受信する段階と、
前記来園者の前記識別情報を携帯式識別機構へ割り当てる段階と、
予約のためのスロットを前記概略の時間的期間に基づいて割り当てる段階と、
前記区域を監視して前記携帯式識別機構が当該区域に入ったかどうかを判定する段階及び関連付けられる入った時間を判定する段階と、
前記予約を前記識別情報に割り当てる段階及び前記携帯式識別機構が前記区域内に検知されたときに当該予約のための特定の時間を割り当てる段階と、
を含む、方法。
【請求項２２】
複数の予約要求を受信する段階、及び前記複数の予約、所在地情報、及びアトラクション利用可能性に基づいて日程表を生成する段階、を含む、請求項２１に記載の方法。
【請求項２３】
前記特定の時間を割り当てる段階の後に前記データサーバシステムから前記携帯式識別機構の保持者へメッセージを送る段階を備え、前記メッセージは前記特定の時間の確認を含む、請求項２１に記載の方法。
【請求項２４】
前記メッセージは、電話システム、テキストメッセージングシステム、インターネットシステム、又はポイント・オブ・セールデバイスシステムを介して送信される、請求項２３に記載の方法。
【請求項２５】
前記携帯式識別機構からデータリーダを介して前記データサーバシステムの中へデータを受信する段階、及び前記データに基づいて前記予約を変更する段階、を含む、請求項２１に記載の方法。
【請求項２６】
追跡システムを用いて前記データを確立する段階を備えており、前記データは前記携帯式識別機構の所在地を含んでいる、請求項２５に記載の方法。
【請求項２７】
前記携帯式識別機構の前記所在地に基づいて、前記来園者又は他の来園者らへ情報を送信する段階を含む、請求項２６に記載の方法。
【請求項２８】
前記データサーバシステムの中へテキストメッセージを受信する段階、及び前記テキストメッセージに基づいて前記予約を変更する段階、を備え、前記テキストメッセージは前記携帯式識別機構又は前記来園者と関連付けられている通信デバイスからである、請求項２１に記載の方法。
【請求項２９】
異なった携帯式識別機構と関連付けられている異なった予約に対して前記予約を取り引きすることによって前記予約を変更する段階であって、前記異なった携帯式識別デバイスと関連付けられている異なった来園者からの通知又は承諾があり次第、取り引きすることによって前記予約を変更する段階を含む、請求項２５に記載の方法。
【請求項３０】
データサーバシステムを備えるシステムであって、
前記データサーバシステムはプロセッサ回路構成を備え、前記プロセッサ回路構成は、
携帯式識別機構の検知に基づいてデータリーダから、前記携帯式識別機構の所在地を含むデータ又は前記携帯式識別機構の所在地を求めるのに前記プロセッサ回路構成によって利用されるデータを受信し、
前記携帯式識別機構と来園者の識別情報の間の相関を識別し、
前記識別情報と関連付けられている予約情報を識別し、及び、
前記予約情報を、前記データリーダから受信される前記データに基づいて、少なくとも、事前に定義されているある区域への予想される到着の概略の時間的期間内で予約のための特定の時間スロットを提供することによって修正する、
ように構成される、システム。
【請求項３１】
前記システムは前記データリーダを備え、当該データリーダは、前記携帯式識別機構を検知するのに顔認識を遂行するように構成される、請求項３０に記載のシステム。
【請求項３２】
アトラクション選好データを予約システムの中へ受信する段階であって、当該アトラクション選好データは少なくとも１人のユーザーにとって興味のある複数のアトラクションを含んでいる、アトラクション選好データを受信する段階と、
前記アトラクション選好データを前記予約システムのプロセッサによって遂行されるアルゴリズムを使用して分析する段階であって、前記アルゴリズムは、アトラクション利用可能性データ、前記アトラクション選好データと関連付けられている所在地データ、及び園利用率データに基づいて分析を遂行するように構成される、前記アトラクション選好データを分析する段階と、
前記分析する段階に基づいて日程表案を作る段階と、
を含む方法。
【請求項３３】
成員を団体へ合流させる要求又は来園者同士の間のスケジュール重複を生成する要求を予約システムの中へ受信する段階と、
成員の団体への参加時、前記予約システムのプロセッサを用いて、前記団体と関連付けられている携帯式識別機構にアクセスすることを介して前記団体の所在地を検知することに基づくか又は前記団体の日程表上に予定されている次のアトラクションを確定することに基づいて、待ち合わせ場所を識別し、前記成員又は前記団体を前記場所へ誘導する段階、又は
来園者同士の間のスケジュール重複生成時、前記予約システムの前記プロセッサを用いて、前記来園者の既存の日程表又は予約を識別し、選好を受信し、前記既存の日程表及び／又は前記選好によって識別される共通の興味に基づいて重複する日程表を生成する段階、
を含む方法。
【発明の詳細な説明】
【技術分野】
【０００１】
本開示は、概括的には遊園地の分野に関する。より厳密には、本開示の実施形態は、アトラクションでの待ち時間を、予約を提供することによって制御するのに利用される方法及び機器に関する。
【背景技術】
【０００２】
２０世紀初頭以来、遊園地は実質的に人気を伸ばしている。この需要増加に取り組むため、遊園地はアトラクションや空間を加増することによって猛烈な勢いで拡大されてきている。アトラクション（例えば、乗物、レストラン、売店、及びショー）の追加は、概して、遊園地に多数の来園者に対処するための追加の収容能力を提供する。また一方で、追加のアトラクションは、典型的に、潜在的来園者に遊園地を訪れたくなる刺激を提供しもする。而して、特定の遊園地は更なる収容能力を加増していってはいるが、追加の収容能力が必ずしもアトラクションの待ち時間を縮めることになるとは限らない、というのも大抵は入場者数も相応に増加するからである。また、稼働効率の理由から、入場者数が低い時にはアトラクションの利用可能性を制限するのが望ましいことも往々にしてある。この様な訳で、遊園地にとってはアトラクションのための順番待ちは年間を通して見られる問題である。
【０００３】
来園者は、より壮大なアトラクション、より優れたアトラクション、より工夫の凝らされたアトラクションを欲してきたが、彼らはまた同時に全体として好感の持てる体験を求めてもいるし期待してもいる。遊園地来園者にとって全体として好感の持てる体験を提供するということには、アトラクションのための順番待ちに関係する特定の問題に取り組むことが伴う。実際には、園の来園者は、行列の待ち時間に係るいやな体験のせいで或る特定の遊園地への再訪を思いとどまることもあることが今や認識されている。また、来園者は、行列して待ちながら過ぎてゆく時間のせいで、遊園地事業（例えば売店）にアクセスすることを控える可能性がある。実際、過去には、来園者は遊園地でより人気の高いアトラクションの幾つかを体験するのに何時間も並んで待つことを余儀なくされていた。加えて、個々の来園者は一部の特定のアトラクションを他のアトラクションよりも好むせいで、園の収容能力が常に当該収容能力の来園者利用率に釣り合うとは限らないことが今や認識されている。従って、遊園地順番待ちシステム及び方法を改善することが望ましいということが今や認識されている。
【発明の概要】
【０００４】
本開示は、概括的には、遊園地アトラクション待ち行列(queues)での待ち時間を、ショー、レストラン、乗物、売店、その他、を含む遊園地アトラクションのための予約を動的に管理することによって制御するための方法及びシステムに関する。本実施形態は、遊園地内のアトラクションのための予約に関係するメトリクス又は特性を通信及び監視する能力及び待ち行列フロー特性を制御する能力のある、電子データサーバ及び各アプリケーションを有するシステムを含んでいる。システムは、検証システム、追跡システム、履行システム、移動体デバイス、及びバックエンドコンピュータ及びデバイス、を含むものとすることができる。システムは、一度に１つ又はそれ以上の予約要求を受信し、ユーザーによって提供される情報に基づき及び／又は他のデータ（例えば、関係付けられるアトラクションの運行に関するデータ又は予約を保持する来園者の検知された所在地に関係付けられるデータ）に基づき、予約のための概略又は特定の時間フレームを割り当てるように構成されている。また、本実施形態は、１つ又はそれ以上の既存の予約へのアクセス又は修正及び／又は待ち行列特性（例えばアクセス比）の調節を、予約要求の変更、来園者スケジューリングの変更、来園者所在地(guest location)、予約に関係付けられる単数又は複数のアトラクションに関するデータ、資格レベル（例えば、様々なアクセスレベルに対する階層的支払オプションに基づく）、その他、に基づいて行うように構成されている。資格レベルに関し、様々な機構又は構成要素についての価格決定に対しては、一部の特定のサービス又はタスクへの少額決済（micropayments）を含め、階層的アプローチが利用可能になっていてもよい。例えば、来園者が園の一部の特定の区域(area)での短い待ち行列に関する周期的な更新を受信するために少額決済を提供するというようになっていてもよい。
【０００５】
システムは、来園者が移動体技術又はワイヤレス技術を利用して特定の単数又は複数のアトラクションのための仮想待ち行列に入って待つことを可能にし、待っている間も遊園地内の他の区域で他のアトラクションを体験したり遊園地から離れてくつろいだりできるようにする。実際には、本実施形態は、予約要求又は既存予約に関係付けられる１つ又はそれ以上のアトラクションと通信して、来園者の待ち体験をリアルタイムで動的に調節及び最適化し、更新を来園者へ（例えば移動体技術又はワイヤレス技術により）通信するように構成されているシステムを含んでいる。本実施形態は、来園者との通信を、セルラー電話、ポケベル、及び他のワイヤレスデバイスの様な、携帯式通信デバイスを介して円滑化することができよう。その様なデバイスは移動体デバイスと呼称されている。システムと来園者の間でのここでいう通信とは、システムから移動体デバイスなどへの、ｅメール、テキスト、映像、ウェブベース、及び音声の通信を含んでいる。遊園地内の来園者の所在地も、その様な移動体デバイス又は他の手段（例えば、顔認識システム、チケット走査、など）を監視することによって入手することができよう。幾つかの実施形態では、来園者との通信は、公衆的にアクセスできるディスプレイを介して実現されていてもよい。例えば、通信機構（例えばネットワークにアクセスする能力のあるコンピュータ）を有するキオスクが遊園地にくまなく配置されていてもよい。
【０００６】
本技法によれば、予約システムは、ユーザー又は来園者が訪問中に遊園地の１つ又はそれ以上のアトラクションにアクセスするための予約を入れるためのインターフェースを提供するように構成されている。予約は、来園者のグループについて又は単独来園者について遊園地到着前に又は遊園地内にいる間に入れることができる。実際には、ここに記載されているシステムの機能は、単独来園者又はグループと通信することを含んでいよう。複数来園者についてグループとして予約を入れることは、対応するチケット全ての単独来園者のチケットとの関連付けを可能にすることによって円滑化され得る。これらの予約は、来園者の遊園地訪問前に又は訪問中に、ラップトップコンピュータ、デスクトップコンピュータ、移動体デバイス、又は他のアクセスデバイスを使用して、入れることができる。その様な予約は、オンラインリソースを介する、予約システムのポータルへの直接アクセスを介する、電話システムを介する、その他、により、取得されることになろう。
【０００７】
本開示によれば、チケットは、アトラクション（例えば遊園地）へのアクセス権利を検証するのに使用されることになる信用証明物の様々な型式又は組合せを含んでいてもよい。チケット（例えば、紙のチケット、生体認証、又は電子チケット）は、現在時点でのアクセス権利又は将来のアクセス権利を検証するのに利用されることになる。チケットがまとめて購入されていないとき、本実施形態はそれらチケットをグループとして関連付けることができる。これで、来園者のグループの成員なら誰もが当該グループのための予約を取得できるようになる。例えば、来園者数人のグループが遊園地に到着し、各々が別々にチケットを購入した場合、グループの来園者のうちの１人が本実施形態を使用してグループのための１つ又はそれ以上の予約を入れる、ということができる。本実施形態は、グループのための予約を単一のチケットと関連付けることができ、当該単一のチケットは「マスターチケット」となる。予約が履行されるとき、予約と関連付けられているマスターチケットがまず確認されなくてはならず、次いで残りのグループ成員のチケットが確認される。チケットをマスターチケットと関連付けるのに幾つかの技法及びシステムが利用できるであろう。これは、チケットを走査して識別情報、真正性、及び予約情報を確認することを含んでいよう。確認プロセス中、各チケットはシステムの中で残りの予約と関連付けられる。従って、後続の予約は、予約が使用できるようになる前にマスターチケットを確認させる必要はない。
【０００８】
また、予約は、来園者が遊園地を訪れる前に、予約のための時間フレームを具体的に指定することなしに、入れることができる。例えば、予約は、或る特定の期日について、時間単位の予約時間範囲を指定することなしに、確立されてもよい。但し、幾つかの実施形態では、来園者の遊園地への予想到着時間に基づいて時間の初期スロットが定義されるようになっている。例えば、この予想到着時間は午前又は午後と指定されていてもよい。その様な実施形態では、来園者が到着次第、来園者の到着時間及び関連付けられているアトラクションのための予約時間スロットの利用可能性に依存して特定の時間フレーム（例えば３：００ＰＭから３：１５ＰＭ）が予約用に割り当てられるようになっていてもよい。本実施形態は、１つ又はそれ以上のアトラクションについて複数の予約を入れるのに利用することができることに注目されたい。本実施形態は、更に、予約システムと来園者の間の通信を円滑化して、予約時間の動的更新を提供することができ、遊園地の特定の区域を訪れるように来園者に働きかけることによって人混み制御を提供することができる。また、本実施形態は、予約システム内で予約取引を円滑化することによって、来園者のスケジュール変更にも効率よく対応することができる。例えば、来園者が割り当てられている予約を変更したがっている場合、来園者は予約システムを使用して、より都合のよい時間で新しい予約を取得することができ、元の予約は利用可能な在庫目録に戻されるか又は適用できる場合にはそれは再割り当てされることになる。
【０００９】
本開示のこれら及び他の特徴、態様、及び利点は、次に続く詳細な説明が添付図面と関連付けて読まれればより深く理解されることであり、図面全体を通して同様の符号は同様の部分を表している。
【図面の簡単な説明】
【００１０】
【図１】本技法による予約システムを含む遊園地の略図である。
【図２】本技法による方法のプロセス線図である。
【図３】本技法による方法のプロセス線図である。
【図４Ａ】本技法による方法のプロセス線図を描いている。
【図４Ｂ】図４Ａと共に、本技法による方法のプロセス線図を描いている。
【図５】本技法による、アトラクションのための複数予約の来園者スケジューリングを円滑化するための方法のプロセス線図である。
【図６】本技法による来園者スケジュールを調整するための方法のプロセス線図である。
【発明を実施するための形態】
【００１１】
これより図１を参照すると、テーマパークアトラクション待ち行列を管理するためのシステムが全体として符号１００で指し示されている。待ち行列管理システム１００は、データサーバシステム１０２、来園者エントリシステム１０４（例えば、追跡システム又はアクセス承認システム）、履行システム１０６、データリーダ１０８、携帯式識別機構（ＰＩＦ：portable identification features）１１０、追跡システム１１２、バックエンドコンピュータシステム１１４、及び少なくとも１つのアトラクション１１６、を含んでいる。システム１００の一部の特定の構成要素は、データサーバシステム１０２の拡張部又はモジュールであってもよく、他の構成要素はデータサーバシステム１０２と通信する分離された機構であってもよい。実際には、データサーバシステム１０２は、１つ又はそれ以上のプロセッサ１１８とメモリ１２０（例えば、ハードドライブ、又は単にそれらが信号ではないという意味で非一時的とされる他の有形機械可読媒体）とを有する１つ又は多数のコンピュータを含んでいてもよい。実際には、１つの実施形態では、データサーバシステム１０２は、信頼性を確約し且つ保守点検を可能にするために１つ又はそれ以上の冗長サーバを含んでいる。メモリ（又は複数メモリ）１２０は、プロセッサ（又は複数プロセッサ）１１８によって実施されると予約システム１００に本実施形態による特定の諸機能を遂行するように仕向けるコード又は命令を記憶していてもよい。実際には、システム１００の一部の特定の構成要素システム（例えば来園者エントリシステム１０４）は、プロセッサ１１８によってアクティブにさせることのできる、メモリ１２０に記憶されたコードを含んでいよう。本開示は、システム１００の諸構成要素又はシステム１００の構成要素全てをグループ化したものを「予約システム１００」又は「システム１００」と呼称している場合もあることに留意されたい。而して、予約システム１００又はシステム１００によって遂行されるとして指し示されている行為は、システム１００のサブセットによって遂行される行為を含んでいることもある。例えば、データサーバシステム１０２は来園者エントリシステム１０４のデータリーダ１０８と連携して、或る特定の来園者が遊園地へチェックイン（例えば入口又は正門を通過）したかどうかを判定する行為を遂行するとしよう。この行為は予約システム１００によって遂行されたという言い方をされることもある。
【００１２】
図示の実施形態では、アトラクション１１６は、関連付けられているアトラクション１１６の運行を監視する及び／又は運行に関する情報を提供するのに利用されている監視及び／又はデータ保守システム１２２を含んでいる。これらの監視及び／又はデータ保守システム１２２は、アトラクションシステム１２２と呼称されており、コンピュータ、制御システム、及び監視機構（例えばセンサやカメラ）の１つ又はそれ以上を含んでいてもよい。幾つかの実施形態では、アトラクションシステム１２２は、基本的には、情報をデータサーバシステム１０２の中へ入力するための、データをデータサーバシステム１０２から取り出すための、又はそれ以外にデータサーバシステム１０２と通信するための、ポート又はワークステーションを含んでいる。例えば、アトラクションシステム１２２は、遊園地の従業員が関係付けられるアトラクションの運行に関するデータ（例えば、待ち時間、アトラクション収容能力、運行停止時間）を入力できるようにしていてもよい。他の実施形態では、アトラクションシステム１２２は、独立に動作するように、及びデータサーバシステム１０２と通信するように、構成されている分離されたシステムである。一例として、アトラクションシステム１２２は、対応するアトラクション１１６の予約と関連付けられる全ての活動（例えば、運行停止時間、要求されている予約と履行された予約に関する統計量、利用可能性、及びアトラクションを通るトラフィックの量）をログして、データサーバシステム１０２及び／又はバックエンドコンピュータシステム１１４によるデータ分析を円滑化させることができるようになっていてもよい。１つの実施形態では、システム１００は、大量のデータの記憶及び処理ができるように拡張が可能である。アトラクションシステム１２２から入手されたデータは、システム１００によるデータ分析に提出され、その結果が、以下に詳述されている様に、順番待ち特性及び予約の制御を支援するのに使用される。
【００１３】
ＰＩＦ１１０はチケットを含んでいてもよい。具体的には、例えば、ＰＩＦ１１０は、印刷されたチケット、生体認証、及び／又は移動体デバイス、を含んでいてもよい。一例として、ＰＩＦ１１０は、印刷された材料条片、顔認識、指紋走査、セルラー電話、カード或いは腕輪に組み込まれたマイクロチップ（例えばメモリ）又は回路構成、ポケベル、又は遊園地によって提供されている又は来園者によって所有されているワイヤレスデバイス、を含んでいてもよい。実際には、来園者によって所有されているか若しくは遊園地から入手されている特定のセルラー電話が来園者パスと関連付けられていてもよい。来園者パスという用語は、概して、来園者の一部の特定のアトラクション若しくは遊園地全体にアクセスする権利をいう。例えば、来園者パスは必ずしも有形の物品である必要はない。来園者は、来園者パスを購入することができ、すると来園者パスはシステム１００上で来園者の識別情報（例えば、パスワード、シリアル番号、氏名、又は数字コード）と関連付けられて、来園者の身分を確認し来園者の権利を確かめさせることができるようになる。この関連付けは、データサーバシステム１０２の携帯式識別機構割当システム(portable identification feature assignment system)によって遂行されていてもよい。而して、来場者パスが特定の来場者へ割り当てられているＰＩＦ１１０と関連付けられたら、次いでＰＩＦ１１０を使用して来場者の権利をシステム１００を介して確認させることができる。この情報に依存して、遊園地従業員又はシステムは来園者に一部の特定のアトラクション１１６へのアクセス又は予約を入れる権利を許諾又は拒否することになる。幾つかの実施形態では、ＰＩＦ１１０はワイヤレス検知能力がありＰＩＦ１１０と関連付けられている識別情報へのアクセスを提供する。例えば、追跡システム１１２は、遊園地の中でＰＩＦ１１０を追跡し或る空間範囲内での特定の来園者の所在地を識別するデバイスモニタ１２４を採用していてもよい。システム１００は、更に、来園者が遊園地内に到着しているかどうかを来園者エントリシステム１０４を監視することによって検知し、そして来園者と関連付けられている或る種のＰＩＦ１１０が検知されたかどうかを検知する。これは、追跡システム１１２を使用して、チケットを走査すること、携帯式デバイスの画面からバーコードを走査すること、携帯式デバイスをピングすること、など、を含んでいてもよい。来園者の遊園地への入場の検知は、来園者パスの購入及びＰＩＦ１１０との関連付けの時点で、例えば、チケットを走査することによって、又は移動体デバイスの識別情報を来園者パスと関連付けることによって、確認されるようになっていてもよい。
【００１４】
以上に示唆されている様に、来園者（又は来園者のエージェント）は、特定の乗物１２８のための待ち行列１２６の様なアトラクション待ち行列での待ち時間を回避若しくは制限するために、本実施形態を使用して１つ又はそれ以上のアトラクションに対する予約を入手することができる。システム１００は、一度に複数の予約を入れること、修正すること、又はアクセスすることに、システム低速化なしに且つ追加容量を付加することが動作速度に影響しないことを確約するに十分な処理能力で以て、対応するように設計されている。システム１００を通じた予約は、来園者によって遠隔的に又は遊園地内から、自動電話システム１４２、インターネットシステム１４４（例えばウェブサイト又はモバイルサイト）、テキストメッセージングシステム１４６、又はポイント・オブ・セール（ＰＯＳ）デバイスシステム１４８、を介して取得される。自動電話システム１４２は、電話１５０からアクセス可能であり、電話１５０のネットワークを含んでいる。インターネットシステム１４４は、インターネット１５２と通信していて、幾つかの実施形態では、２つの別々のウェブサイトを含んでおり、第１のウェブサイトが来園者の予約を入れたいという希望に対応し、第２のウェブサイトが予約を入れること及び予約を改定することの他に運営管理タスクを遂行するサービス担当者に向かってのアクセスを提供している。テキストメッセージングシステム１４６はワイヤレスデバイス１５４（例えばセルラー電話）のネットワークと通信している。ＰＯＳデバイスシステム１４８は、ＰＯＳデバイス１５６を含んでいる及び／又はＰＯＳデバイス１５６と通信している。
【００１５】
図１に描かれているシステム１００は、来園者によって所有されているか又は遊園地によって供給されている多種多様な型式のワイヤレスデバイス又は移動体デバイスと通信する能力がある。実際には、ＰＩＦ１１０は、予約を有する全ての来園者がシステム１００からメッセージ及び更新を受信するのを可能にする通信機構を含んでいる。但し、移動体デバイスは、当該移動体デバイスをＰＩＦ１００として使用することなしに、システム１００との通信に使用されていてもよい。システム通信の一例として、テキストメッセージが、テキストメッセージングシステム１４６から、ＰＩＦ１１０として機能していて来園者に割り当てられている移動体デバイスへ送られ、テキストメッセージは、或る特定の予約時間が特定のアトラクションに係る技術上の障害に因り後ろへずらされたことを指し示す、という場合がある。テキストメッセージシステム１４６は、延期通知、情報通知、広告、など、に係る自動テキストメッセージを分当たり最少でも２０，０００通送る能力がある。また、システム１００の様々な他の構成要素は、移動体デバイス又は他のワイヤレスシステム構成要素とワイヤレス式に通信する能力がある。例えば、データリーダ１０８及びＰＯＳデバイス１５６その他、は、データサーバシステム１０２とワイヤレス方式で通信する能力のあるワイヤレスデバイスとすることができる。移動体デバイスという言い方は、セルラー電話やポケベルなどの様な、来園者が容易に持ち運ぶことができる品目を示唆している。
【００１６】
来園者が予約プロセスの一部としてオフサイトから予約権利を要求してきている場合、来園者はシステム１００（例えばデータサーバシステム１０２のインターフェースモジュール）によって、システム１００に、遊園地又は特定のアトラクション１１６（例えば遊園地の或る差別化されている区域）の様な区域への推定到着時間（例えば午前又は午後）を提供するようにプロンプトされる。その様な要求は、来園者（現在の及び潜在的な遊園地後援者を含んでいる）からの通信及び入力データを受信する能力のあるデータサーバシステム１０２のインターフェースシステムを通じて受信される。その様な通信は、自動電話システム１４２、インターネットシステム１４４、テキストメッセージングシステム１４６、又はＰＯＳデバイスシステム１４８、の１つ又はそれ以上を介して提供することができよう。具体的な予約は来園者が現に到着するまで確立されることはない。むしろ、データサーバシステム１０２の予約割当システム(reservation allotment system)は、予約スロットを推定到着時間に基づいて取りのけておき、予約スロットを来園者の識別情報と相関付ける。推定到着時間を提供することは、関連付けられる訪問の時間的期間(time period)中の予約権利を確立するのに必要とされている。
【００１７】
検知システム（例えば、追跡システム１１２、来園者エントリシステム１０４、及び／又はデータリーダ１０８）が、携帯式識別機構が指定の区域（例えば遊園地）に到着したかどうかを判定する。来園者が予想される時間的期間中（例えば午前時間中）に到着し損ねた場合、システム１００は来園者に連絡を取り、来園者からのフィードバック及び／又は他の判定基準に基づいて、関連付けられている予約権利をスケジュールし直すなり取り消すなりする。同様に、来園者が遊園地に入っていることが確認されたら、データサーバシステム１０２の予約割当システム(reservation assignment system)が特定の予約時間を定義し、来園者は当該特定の予約時間（例えば、アトラクション１１６に到着するための１５分ウィンドウ(15 minute window)）を告げられる。例えば、既存の予約権利を有しているか又は予約を要求済みである来園者は、システムからのテキストメッセージ又は録音されている音声メッセージを、自動電話システム１４２、インターネットシステム１４４、テキストメッセージングシステム１４６、又はＰＯＳデバイスシステム１４８、の１つ又はそれ以上を介して、受信することになる。或る特定の例として、ＰＯＳデバイス１５６を含むキオスクでチェックインすると、来園者はＰＯＳデバイスシステム１４８を介して、予約のための特定時間が確立されたことを、ＰＯＳデバイス１５６によって作られた受領書へのメッセージ及び予約時間の印刷によって通知されることになる。同様に、システム１００からの通信は、自動電話システム１４２、インターネットシステム１４４、又はテキストメッセージングシステム１４６を介し、来園者へ、移動体デバイス及び／又は来園者に割り当てられているＰＩＦ１１０（例えば、来園者個人の通信デバイス又は遊園地によって供給されているデバイス）へ送られる音声メッセージ、テキストメッセージ、又はｅメールにより提供されることもある。特定時間は、概略時間より狭く、典型的には概略時間内で定義されることになろうがより後のこともある。
【００１８】
加えて、図示の実施形態でのシステム１００は、来園者からシステム１００への通信を円滑化する。例えば、ユーザーは、予約がもはや所望されていないことを、又は遊園地若しくは個々のアトラクション１１６への来園者到着に遅れが出そうであることを、ＰＩＦ１１０を含んでいる移動体デバイスを介してデータをシステム１００へ提出することによって通信することができる。この種の情報は、システム１００によって、当該来園者及び他の来園者の予約を管理するのに利用されることになる。また、その様な情報は、システム１００によって、待ち行列管理を円滑化するのに利用されることになる。例えば、取消を利用して、待機の待ち行列、至急（express）の待ち行列、要人（ＶＩＰ）の待ち行列、一人乗りの待ち行列、及び予約の待ち行列の各比率、又は予約エントリ経由でのアクセスを許容される来園者数、を調節することができよう。実際には、システム１００は、その様なデータをアトラクション制御システム（例えばアトラクションシステム１２２）又は待ち行列管理を担当する遊園地従業員へ通信することになる。これは、一部の特定の待ち行列特性（例えば待機列エントリ数）を予約エントリに対比して調節する調節可能な比率変数を制御して所望の待ち時間が維持されるようにする能力及び待ち時間の低い手近なアトラクション（例えば予約待ち行列より低い待ち時間又は最も低い待ち時間を有する最も手近なアトラクション）に関する情報を提供する能力のある、データサーバシステム１０２のアクセス管理システム又はアトラクションシステム１２２を設けることを含んでいよう。
【００１９】
来園者からのシステム１００への通信は、ＰＩＦ１１０のそれぞれの所在地に関する周期的更新又はＰＩＦ１１０の各々のデータエントリ構成要素を介して来園者によって入力される更新を含んでいよう。一例として、ＰＩＦ１１０は、全地球測位システム（ＧＰＳ）、無線周波数識別（ＲＦＩＤ）タグ、又はＰＩＦ１１０の所在地を割り出すのに使用できる他の検知可能な機構、を含んでいてもよい。具体的には、例えば、ＰＩＦ１１０がデータリーダ１０８によって検知されるか又は遊園地内に配置されているデバイスモニタ１２４によって検知される購入物の一部として走査される場合、その様な情報は、システム１００がＰＩＦ１１０を関連付けた相手の来園者の概略所在地を割り出すのに採用することができる。また、来園者は、要求又は更新を、データエントリ機構（例えば、キーボード又はＰＩＦ１１０の他のインターフェース）を介して提出することができるであろう。例えば、ＰＩＦ１１０は、それぞれ、来園者がシステム１００によって発せられる質問、例えば来園者が保留中の予約に姿を見せるつもりかどうかに関する質問その他、に対する肯定又は否定の応答を返すのを可能にするキーボード若しくは基本入力を含んでいてもよい。ＰＩＦ１１０としては採用されていない他の移動体デバイスをシステム１００と通信するのに使用することもできよう。
【００２０】
システム１００と来園者の間の通信は、予約に関する通信に加え、遊園地を通しての人混みの流れに関係する情報の様な他の種類の情報又はデータを含んでいよう。例えば、システム１００は、ＰＩＦ１１０又は他の源からの所在地データを利用して、人混みの流れのデータを集めることができる。このデータは、次いで、システム１００によって、遊園地全体に亘る来園者分散を働きかけ而して人混みを軽減させるのに採用されてもよい。例えば、手近のアトラクションのための電子クーポンであって、識別情報によって一部の特定の来園者に制限されていてもよいとされる電子クーポンが、システム１００によってＰＩＦ１１０を介して発行されるようになっていてもよいし、又は一部の特定のアトラクションでは待ち時間が短くて済むことを指し示す通告が配布されるようになっていてもよい。システム１００は、情報（例えば、クーポン、広告、及び待ち時間）を来園者にウェブポータルなどを介してプッシュする能力がある。具体的には、例えば、システム１００は、特定の識別情報を有するＰＩＦ１１０を持つ園支援者全員へのテキストメッセージであって、これらの園支援者が売店又はレストランで割引を受けられるようにするテキストメッセージを配信するようになっていてもよい。また、システム１００は、これらの割引の使用を追跡するようになっていてもよく、そうすれば、システム１００は使用の時刻及び場所を把握でき、人混みの制御（購入場所、購入品目、その他、に基づく追加の通知の提出）にそれらを使用できる。加えて、システム１００は、予約を所在地及び利用可能性に基づいて自動的に調節するようになっていてもよい。例えば、支援者が関連付けられているアトラクションに予約の時間に間に合うように到着するには（品目の購入時間により判断して）アトラクションからあまりに遠く離れて所在しているという理由で予約が調節されてもよいし、又は来園者がレストランでゆっくりした給仕のせいで遅れたために列内の来園者の位置が調節されてもよい。
【００２１】
以上に論じられている他の種類の情報と同様、システム１００は、人混みの流れの情報をアトラクション１１６間に通信し、待ち行列特性（例えば、予約と待機列の間の入場比率）を、来園者のアトラクション待ち時間の最適化へ向かって動くように動的に調節することができる。例えば、調節は、待機列１６２（例えば、来園者が予約なしでアトラクションへ入るために並んでいる区域）から待ち行列のできている土産店１６０へ入ることの許される来園者の、予約列１６４（来園者が予約に基づいてアトラクションに入るために並んでいる区域）から土産物店１６０へ入ることの許される来園者に対する比率に対し、土産物店１６０への残りの入店予約及び遊園地全体を通してのアトラクションへのアクセスの利用可能性に基づいて行われてもよい。予約列１６４に入ってくる来園者は、予約列又は待ち行列１６４に入るための権利を、データリーダ１０８に関連付けられているＰＩＦ１１０へアクセスさせることによって確認し、土産物店１６０に入ることに対するアクセスを、異なったデータリーダ１０８に関連付けられデータリーダＰＩＦ１１０へアクセスさせることによって確認していることに留意されたい。而して、データリーダ１０８は、エントリアクセス確認機構として利用される。この二重確認は、待ち行列の待ち時間を監視するのに利用することができる。同様に、データリーダ１０８は、来園者がアトラクションに入ってしまった（例えば、アトラクションの乗物車両に乗り込んだ）ことを確認することによるアクセス確認機構として採用することができる。
【００２２】
システム１００は、一部の特定の来園者の共通の特性に基づく来園者対来園者通信及びシステム指向型通信を円滑化することもできる。具体的には、本実施形態は、登録プロセス中に又はオプトインプロセスを通じて人口学的データを捕集してもよい。登録プロセスは、人口学的データの取得を促進するデータエントリ要件又は来園者によるシステム１００の何らかの利用を含んでいてもよい。例えば、登録はシステム１００と連携させた来園者によるセルラー電話の利用を含んでいてもよいし、取得される人口学的データはセルラー電話と関連付けられている電話番号のエリアコードを含んでいてもよい。直接的な来園者対来園者通信は、ＰＩＦ１１０に通信能力がある場合に、来園者に割り当てられているＰＩＦ１１０間にシステムを介して確立されてもよいし、又は直接的な来園者対来園者通信は、来園者又は園によって提供されていてシステム１００によって知られている通信デバイス間に確立されてもよい。同様に、その様な通信はソーシャルメディアへのアクセスを有効にすることを介して確立されるようになっていてもよく、やはり同様にＰＩＦ１１０又は既知の通信デバイスを採用することができる。従って、来園者の登録データ又は選択されたオプションに基づく共通の特性を有する来園者同士は互いに通告を提供し合うことができる。例えば、同様の地理的領域からの来園者同士が共通して興味のありそうな活動を互いへ知らせ合うことができる。同様に、システム１００は、人口学的データに基づいて、共通して興味のありそうな活動に関する情報を提供することができる。システム１００は、他にもあろうが中でも特に、状態更新を投稿すること、或る特定のグループ内の来園者に当該グループに関連する活動を通知すること、又は園内の一部の特定の状況の通告を提供すること、を円滑化することができる。
【００２３】
本開示の１つの実施形態では、ＰＩＦ１１０（例えばＲＦＩＤトランスポンダ）が各来園者又は各グループへ彼らが遊園地に入った際に提供される。これは、遊園地がＰＩＦ１１０を来園者に、賃借させること、貸し付けること、又は単純に販売すること、を含んでいてもよい。それぞれのＰＩＦ１１０は、各来園者又は各グループを固有に識別するようにプログラムされシステム１００の中で割り当てられている。幾つかの実施形態では、各来園者にＰＩＦ１１０を提供することには、システムに命令して来園者によって所有されているデバイスを認識させる及び／又はデバイスと通信させることが含まれており、その結果、来園者によって所有されているデバイスはＰＩＦ１１０として採用され、システム１００によってＰＩＦ１００として起動されることになる。例えば、システム１００を使用して来園者のセルラー電話へアプリケーションをダウンロードさせれば、システム１００が来園者のセルラー電話を遊園地チケット及び来園者（又はグループ）と関連付けるようになっていてもよい。別の実施形態では、システム１００は、ＰＩＦ１１０を検知し、有効な来園者パスとの関連付けを認識するようにプログラムされている。また、以上に論じられている様に、異なった型式のＰＩＦ１１０には、紙又はプラスチックのチケット又は一体型検知デバイス付の腕輪が挙げられる。例えば、固有識別子をメモリに記憶している一体型回路構成(integral circuitry)及び／又は通信能力（例えば全地球測位ユニット又は他の位置検知システムと通信する性能）を提供する一体型回路構成を含んでいる腕輪がある。例えば、ＲＦＩＤタグの様な自動識別及びデータ取得（ＡＩＤＣ）デバイスが使用されていてもよい。
本実施形態に係り使用できるＰＩＦ１１０の他の機構には、バーコード、磁気条片、ｐｉｎ番号、セルラー電話識別子、ホテルルームキー、クレジットカード、それらの組合せ、その他、が挙げられる。ＰＩＦ１１０又はその様なデバイスの組合せの識別用構成要素は何れも、遊園地内及び／又は遊園地周囲での来園者の動き及び／又は過ごし方を追跡するようにデータリーダ１０８又は他の来園者識別子（例えばＰＯＳデバイス１５６）と通信する相互リーダを有していてもよい。これにより人混みの流れの追跡が可能となる。また、幾つかの実施形態では、ＰＩＦ１１０は、来園者を園の一部の特定の区域へ向かわせることを円滑化するべく人混みの流れに関する通信ができるディスプレイ画面付き手持ち式電子デバイスを含んでいてもよい。
【００２４】
１つの実施形態では、システム１００は、中央待ち行列制御システムとして働くデータサーバシステム１０２と来園者エントリシステム１０４の間の通信を円滑化することによって、アクセスを制御する能力及びアトラクション１１６に対する予約を管理する能力がある。実際には、データサーバシステム１０２と来園者エントリシステム１０４の間の連携が、予約を有する来園者の遊園地到着及び遊園地に入っていることの識別を円滑化し、ひいては予約の管理を支援する。実際には、予約は、遊園地への到着時間を勘定に入れるアルゴリズムに依存して変更される又は取り消されるようになっていてもよい。来園者の到着及び／又は入園の通信は、データサーバシステム１０２を用いて来園者エントリシステム１０４を或る一定の間隔で（例えば、３０秒毎又は６０秒毎に）又は特定の時刻にポーリングすることによって実現されていてもよいし、又は来園者が来園者エントリシステム１０４を介して遊園地へ入場する都度、関連付けられているＰＩＦ１１０の識別データを来園者エントリシステム１０４からデータサーバシステム１０２へ送ることによって実現されていてもよい。例えば、或る特定のアトラクション１１６と関連付けられているデータリーダ１０８は、データサーバシステム１０２と若しくは直接に来園者エントリシステム１０４と通信して、来園者が有効な園入場チケットを有していることを確認するようになっていてもよい。具体的には、例えば、来園者は自身に割り当てられているＰＩＦ１１０を或る特定のアトラクション１１６用のデータリーダ１０８へ供給するようになっていてもよい。すると、データリーダ１０８はＰＩＦ１１０から情報を取得し、他のシステム構成要素と通信して、ＰＩＦ１１０が有効な予約と関連付けられていること及びＰＩＦ１１０が遊園地に適正に入っていると知られていることが確認されるようにする。これは、ＰＩＦ１１０（例えばセルラー電話）が遊園地に入場する際に来園者エントリシステム１０４を介して識別されている（例えば入場時に走査されている）こと、及びＰＩＦ１１０が特定のアトラクション１１６又は任意のアトラクション１１６の予約と関連付けられていること、を確認することを含んでいてもよい。幾つかの実施形態では、来園者は、ＰＩＦ１１０を使用して、待ち行列１６４に入るために第１データリーダ１６６と通信し、次いでＰＩＦ１１０を使用して、アトラクション１１６に入るのに第２データリーダ１６８と通信しなくてはならない。これは、待ち行列特性の監視を円滑化する。
【００２５】
１つの実施形態では、システム１００は、個人又はグループのための予約を入れて、個人又はグループが、或る時間範囲中にアトラクションにアクセスする、予約を修正する、予約を遅らせる（例えば、予約を５分間隔で遅らせる）、予約を１つのＰＩＦ１１０からもう１つへ（例えば、１人のグループ成員から別の成員へ）移譲する、予約を取り消す、及び予約の詳細及び更新を（例えばリアルタイムで）提供する、ことができるようにする。以上に示唆されている様に、システム１００は、遊園地のための商業管理システム（例えば、データサーバシステム１０２のモジュール又はデータサーバシステム１０２と通信しているか又はデータサーバシステム１０２を通じてアクセスできる別体のシステム）とインターフェースする能力のある数多くのアクセスポイント又はインターフェースポイントを含んでいる。実際には、ユーザーはシステム１００相手に遠隔的に又は遊園地所有地から、自動電話システム１４２、インターネットシステム１４４、テキストメッセージングシステム１４６、又はＰＯＳデバイスシステム１４８を介して、アクセス又はインターフェースすることができる。幾つかの実施形態では、予約にアクセスし操作することは、データサーバシステム１０２と通信するのに使用されるＰＩＦ１１０を使用して実現されている。実際には、来園者は、食事をとるのに予想外に時間がかかったという理由で、予約を後ろへずらす（例えば３０分後ろへずらす）こと又は予約を取り消すことを、テキストメッセージをＰＩＦ１１０又はシステムに認識されている通信デバイスからデータサーバシステム１０２へ送ることによって要求することができる。全てのインターフェースポイントには、利用可能な機密保護性に依存して同じ能力が割り当てられていてもよい。例えば、インターフェースポイントによる機密保護性が限られているせいでトランザクション中に金融データを失うリスクがあると判定される場合には、その様なインターフェースポイントからのアクセスは制限されていてもよい。また、予約を取得するためのシステム１００へのアクセスは、アクセス権利の購入に依存して制限されていてもよい。例えば、来園者は、システム１００を介して予約を入れることを成功させるには予約性能（reservation ability）を購入しなくてはならない、とされていてもよい。但し、予約性能の購入価格はゼロに設定されていてもよいし、購入する段階が迂回されていてもよい。購入する段階が迂回されている場合、予約の取得段階は、要求支払額の指示が何も提供されないようにして途切れなく機能することになる。なお、システム１００にアクセスし、先触れとして、或る特定の区域又はアトラクション（例えば遊園地）へのアクセスを要する予約を入れるためには、ユーザーはアトラクション又は一組のアトラクションのためのチケットを既に購入して持っていることが要件とされていることに留意されたい。実際には、システム１００内で予約を入れるためのアクセス又はシステム１００自体へのアクセスは、対応するチケットを所有しているユーザー又は特別なアクセスを有する者（例えばテーマパーク従業員）に限定されていてもよい。
【００２６】
図２及び図３は、本実施形態による手続きのためのプロセスフロー線図を含んでいる。プロセスは、全体として、符号２００によって指し示されており、プロセス２００の諸行為又は諸段階を表す様々なブロックを含んでいる。プロセス２００は、本実施形態によれば、データサーバシステム１２０又はシステム１００の他構成要素の様なシステムによって制御又は円滑化されるものである。実際には、１つの実施形態では、データサーバシステム１０２は、プロセッサ１１８及びメモリ１２０を含んでおり、メモリ１２０は、プロセッサ１１８によって、データ入力を受信するように、関連付けられているデータを操作してそれら入力を組み立てられた情報に変換するように、及びここに開示されているプロセスの諸段階又は諸行為に対応する出力を提供するように実施される命令を記憶している。プロセス２００の構成要素は、自身のデータ処理能力を維持しているデータリーダ１０８によって遂行されていてもよいし、又はシステム１００の他構成要素によって遂行されていてもよい。また、異なった実施形態では、一部の特定の行為又は段階は異なった順序で遂行されていてもよい。
【００２７】
図２に示されている様に、プロセス２００は、ブロック２０２によって表されている様に、単数又は複数のチケットが既に購入されているかどうかの判定で始まる。この文脈では、チケットとは遊園地又は遊園地のアトラクション１１６にアクセスする権利である。他の文脈では、チケットは異なったアクセス権利と関連付けられていることもある。一例として、チケットを取得するということは、来園者の身分をシステム１００内でその様な権利と関連付けさせることを含んでいる。具体的には、例えば、来園者は来園者識別番号を割り当てられ、提供され、システムはアクセスの権利を有する当該番号を識別する情報をメモリに記憶する。チケットがまだ購入されていなかったなら、プロセス２００はブロック２０４によって表されている様にチケットを購入することを促進する。本実施形態によれば、この単数又は複数のチケットの購入は、ＰＯＳデバイスシステム１４８（例えばチケット売り場）により、インターネットシステム１４４により、又は自動電話システム１４２により、連携される。購入中、ブロック２０６によって表されている様に、アトラクション予約能力が単数又は複数の購入されたチケットへ追加される。アトラクション予約能力は、幾つかの実施形態ではチケットの無料構成要素として自動的に追加されるようになっている。他の実施形態では、アトラクション予約能力は、ユーザー選択制のオプションとされており、無料のこともあれば追加料金が要ることもある。システム１００は、他の予約に勝る一定の予約優先権を与える能力がある。優先権は、割増料金を支払っている来園者、要人、又は特別な業務を遂行する来園者へ与えられるようになっていてもよい。
【００２８】
ブロック２０６は、更に、単数又は複数のチケット購入時における１つ又はそれ以上のアトラクション予約の実際の追加を表している。実際には、ブロック２０８は、来園者に移動体デバイスが利用可能であるかどうかを指し示すようにプロンプトする段階を表している。来園者がその様なデバイスへのアクセスを有していない場合、来園者は、ブロック２１０によって表されている様に、代替通信能力（例えば、自前の通信デバイス又は園提供の通信デバイス）を取得するように誘導される。これを円滑化するために、来園者は来園者サービスと通信するよう誘導される。そうすると、来園者サービスは、予約についての情報を通信すること及び場合によってはＰＩＦ１１０として働くことを目的とした来園者への移動体デバイスの提供を手配することになる。来園者がその様な移動体デバイスを使用したがらない場合は、遊園地全体に亘るキオスク及び紙のチケットを介するといった様な他の型式の通知及び確認のための手配がなされることになる。ブロック２０８に提供されているプロンプトに戻るが、来園者が、移動体電話、遊園地によって割り当てられている移動体通信デバイス、など、を有している場合、来園者はその様なデバイスが利用可能であることを指し示せばよい。この事象では、来園者は、更に、ブロック２１２によって表されている様に、電話番号、ｅメールアドレス、など、を介しての移動体デバイスへのアクセスを提供するようにプロンプトされる。例えば、来園者は、アトラクション予約に関係のあるテキスト通信又は音声通信のためにシステム１００に使用させる電話番号を提供することができる。実際には、来園者はブロック２１４によって表されている様に所望の通知型式を現に選択することができる。これは、音声通知及び／又はテキスト通知が送信されるかどうかを選択することを含んでいる。システム１００は、来園者にテキストメッセージが受諾可能かどうかを指し示すようにプロンプトしてもよい。来園者がテキストを使用したくないなら、自動音声メッセージが使用される。また、ブロック２１４は、一部の特定の種類の情報が移動体デバイスへ送られるかどうかを来園者に決めさせる段階を表している。例えば、来園者は、通信を、確立された予約に関係する通信に限定して、来園者が、クーポン、園の他区域の待ち時間、その他、に関係する情報を受信しないようにしてもよい。幾つかの実施形態では、一部の特定の種類の情報は、購入されたアクセス権利の価格設定階層に基づいてアクセス、受信、又は制御されるようになっている。例えば、より高層の権利を有する来園者は、その様なアアクセス権利を有する者だけに利用可能な催事についての排他的情報を受信又はアクセスできるようになっていてもよい。一例として、より高層の権利を有する者は、それ以外では遮断できない一部の特定の通信（例えば広告）を遮断することができるようになっていてもよい。
【００２９】
システム１００と来園者の間の通信の方式が確立されたら、プロセス２００は予約の詳細事項の確立に進む。ブロック２１６によって表されている様に、これは、アトラクション、予約期日、及び予約の概略時間、を選択することを含んでいよう。幾つかの実施形態では、予約には１つのアトラクション及び／又は予約期日しか利用できなくなっており、そうするとアトラクション及び／又は期日は選択する必要がない。本実施形態は、ユーザーが、園に入る前に予約を入れて或る特定のアトラクションへのアクセスを確認できるようにしている。但し、予約の特定時間は、来園者が現に遊園地に入るまでは入れることができない。実際には、例えば、予約の特定時間は、予約と関連付けられているチケットが来園者エントリシステム１０４によって識別されるまでは入れることができない。
【００３０】
図示の実施形態では、ブロック２１６に示されている様に、来園者は予約の編成の助けとなるよう予約の概略時間を提供するようにシステム１００に要求される。先に指摘されている様に、実際の予約時間は一定の判定基準が満たされるまでは確立されることはない。例えば、予約来園者が遊園地に入っていると確認されていて予約がなお所望されていることを確認してしまうまでは、予約のための特定の時間ウィンドウ（例えば１５分の時間のウィンドウ）が確立されないようになっていてもよい。予約の概略時間は、午前、午後、夜間、として指し示されるようになっていてもよい。別の実施形態では、予約の概略時間は、来園者が選択できる様々な時間ウィンドウの１つ（例えば、４時間刻みの時間のウィンドウ）であってもよい。概略時間の指示は、予約システム１００内の融通性を可能にさせる。例えば、来園者が予約の概略時間として或る特定の日の午前を指示すれば、来園者が午前の或る特定の時間までに園に現に到着したかどうかに関して判定を行うことができるようになる。来園者が到着していなかったら、来園者は、ＰＩＦ１１０を含んでいる移動体デバイスを介して、予約に対する調節又は予約の取消がなされるべきかどうかを決めるように連絡される。来園者が指示している時間のウィンドウ内に到着しなかった場合、来園者が移動体デバイスを介して応答し損ねた場合、来園者が或る種の更新（例えば「一時間遅れる」）を提供した場合、などには、予約に対する一定の調節又は予約の取消が自動的になされるようになっていてもよい。或る特定の例では、予約の概略時間として設定されている時間に対応する時間までに来園者が到着しなかった場合、来園者は自身がなお遊園地を訪問する予定であるかどうかを指し示すようにプロンプトされる。来園者がなお遊園地を訪問する予定である場合は予約が調節される。来園者がもはや遊園地を訪問する予定ではなくなった場合は予約が取り消される。予約が調節されると、他の予約も動かされることになる。また、予約が取り消されると、他の予約があちこち動かされ、補欠リスト内の者が利用できるようになった予約スロットを補充するように連絡されることになる。
【００３１】
本システム１００は、一度に複数の予約を入れることを可能にさせる。１つの実施形態では、複数予約が入れられると、複数予約は最初に単一チケット又は複数チケットのそれぞれと関連付けられる。実際には、ブロック２１６での提供される他の情報を受信することに加え、ブロック２１８は、要求されている予約の来園者人数の指示を受信する段階を表している。複数の予約を単一チケットと関連付けられるようにしていることによって、グループ成員１人が来園者グループのための予約を入れることができるようになる。但し、或る一定の来園者人数（例えば来園者数１０人）より多い予約は遊園地職員（例えばグループ販売部門の部員）からの受諾を要することもある。従って、ブロック２１８は、予約を入れたい来園者の人数に関する入力を受信する段階を表しており、当該段階は、予約が単独来園者についてであると指し示すことを含んでいることもある。次に、ブロック２２０によって表されている様に、予約は或る一定の閾値より大きなグループについてであるかどうかに関して判定がなされる。グループが閾値を超過している場合、ブロック２２２によって表されている様に、来園者は遊園地のためのグループ販売担当などに連絡を取るように誘導される。これは、来園者を電話を介して該当する連絡先へ自動的に接続すること又はｅメールを該当する連絡先へ自動的に開始させることを含んでいてもよい。
【００３２】
グループがグループ予約について規定されている閾値を超過していない（例えば、予約が単独来園者についてである）場合、プロセス２００は、ブロック２２４によって指し示されている、予約を要求されているアトラクションが十分な収容能力を有しているかどうかの判定へ進む。１つの実施形態では、この行為は、データサーバシステム１０２とアトラクションシステム１２２の間の通信を含んでいよう。例えば、以上に論じられている様に、各アトラクション１１６は、予約時間、利用可能性、運行停止時間、など、に関する情報を維持している監視及び／又は状態管理機構（例えばアトラクションコンピュータ）を含んでいてもよい。他の実施形態では、この情報全ては中央に置かれている（例えばデータサーバシステム１０２上に記憶されている）。要求されている単数又は複数の予約にとって十分な収容能力があると判定がなされた場合、ブロック２２６に表されている様に、単数又は複数の予約の確認が来園者へ提供され、予約は記帳されることになり、予約はデータサーバシステム１０２及び／又は予約を入れられた特定のアトラクション１１６用の管理システム又はアトラクションシステム１２２に記帳される。例えば、確認は、データサーバシステム１０２から、移動体デバイスへ、ＰＯＳデバイスシステム１４８、インターネットシステム１４６、電話システム１４２、又はテキストメッセージングシステム１４６を介して送信されるテキストメッセージ、ｅメール、プリントアウト、音声メッセージを含んでいよう。他の実施形態では、確認は、単純に、予約を入れるのに採用されているデバイス経由で提供されている。
【００３３】
要求されている予約に対応するには収容能力が足りないとの判定がなされた場合、ブロック２２８によって表されている様に、プロセスは来園者に別の期日、異なった時間的期間、又は異なったアトラクションを選択するようにプロンプトする。幾つかの実施形態では、グループサイズを縮小又は分割すれば予約が可能になるかもしれない場合、来園者は、利用可能な予約スロットを手に入れるべくグループを分割するか又はグループのサイズを縮小するためのオプションを通知されるようになっていてもよい。来園者が要求した予約への変更を行うことを選んだ場合、プロセスはブロック２１６へ戻る。来園者が要求を改定しないことを選んだ場合、ブロック２２９によって表されている様に、来園者は補欠リスト（利用可能になるスロットを補充するための待ち行列）に入れられることを所望するか又は予約要求の取消を所望するかを選択するようにプロンプトされる。ブロック２２９でのプロンプトは、補欠リストに入れられることを選択しないなら結果的に取消になってしまうことを明白化することができる。オプションが選択されると、ブロック２３０によって表されている様に要求されている予約は補欠リストに入れられる。実際に、本実施形態は、予約が利用可能でないときに来園者が利用可能になる見込みのある予約スロットを通知されるための待ちリスト中に位置を得ることができるような待ちリスト機能を含んでいる。来園者又はグループが補欠リスト中の位置を割り当てられたら、ブロック２３２によって表されている様に、来園者は、予約が記帳されなかったことを、但し来園者及び／又はグループは補欠リスト中にスロットを割り当てられたことを、通知される。来園者が取消を選んだ場合、ブロック２３４によって表されている様に、予約要求は単純に取り消され来園者は通知される。以上に論じられている予約の確認と同様、通知は、テキストメッセージ又は音声メールを移動体デバイスへ提出することによって、又は予約を要求するのに採用されているデバイスを介して通信することによって、実現されていてもよい。また、予約の空きが利用可能になったなら、来園者又はグループは、空きを、移動体デバイスを介して、又は他の通知メカニズムを介して、通知されることになる。来園者は、その様な通知に対し彼らがスロットを補充することができるか否かを指し示すことによって応答するように要求される。来園者は、来園者に割り当てられているＰＩＦ１１０を介して応答することができる。来園者は空き予約スロットを取ることへの利用可能性を指し示した場合、待ちリスト予約は空き予約スロットへ移される。
【００３４】
プロセス２００のブロック２０２へ戻り、チケットが既に購入されている場合、プロセス２００は、図３のブロック２５０によって表されている様に、予約システム１００に連絡をとる段階へ向かわされる。予約システムにアクセスすると、ブロック２５２によって表されている様に、来園者は来園者又はグループの識別を確認するようにプロンプトされる。これは、確認番号を入力すること、物理的チケットを走査すること、移動体デバイス上のアプリケーションにアクセスすること、など、を含んでいてもよい。次に、ブロック２５４によって表されている様に、識別情報が現時点で有効若しくは運用中とされる来園者パスに対応しているかどうかについて判定が行われる。識別情報が有効な来園者パスに対応していない場合、ブロック２５６によって表されている様にプロセスはユーザーを来園者サービスへ誘導する。これは、来園者を遊園地職員に電話を介して自動的に接続すること、又はｅメールを遊園地職員に向けて自動的に生成すること、を含んでいてもよい。
【００３５】
システム１００が識別情報は有効な来園者パスに対応していると判定した場合、来園者が前もって来園者パスを移動体デバイスと関連付けたかどうかについて判定が行われる。移動体デバイスが来園者と関連付けられていない場合、プロセス２００は、その様なデバイスが利用可能かどうかを判定する段階を表すブロック２５８へ進む。次に続く段階の多くは図２に関連して指し示され及び説明されている諸段階と本質的に同等である。具体的には、ブロック２５８は来園者に移動体デバイスが利用可能であるかどうかを指し示すようにプロンプトする段階を表している。来園者がその様な移動体デバイスへのアクセスを有していない場合、ブロック２６０によって表されている様に来園者は来園者サービスへ誘導される。そうすると、来園者サービスは、来園者のための通信能力を、例えば、予約についての情報を通信する目的での来園者への移動体デバイスの提供によって手配することになる。来園者がその様な移動体デバイスを使いたがらない場合、遊園地全体に亘るキオスクなどを介しての通知のために手配がなされることになる。
【００３６】
ブロック２５８に提供されているプロンプトに戻るが、来園者が、移動体電話、遊園地によって割り当てられている移動体通信デバイス、など、を有している場合、来園者はその様な移動体デバイスが利用可能であることを指し示せばよい。この事象では、ブロック２６２によって表されている様に、来園者は移動体デバイスへのアクセスを提供するように更にプロンプトされ、次いで、電話番号、ｅメールアドレス、など、によるその様なアクセスを提供するようにプロンプトされる。例えば、来園者は、アトラクション予約に関係するテキスト通信又は音声通信のためにシステム１００に使用させる電話番号を提供することができる。実際には、ブロック２６４によって表されている様に、来園者は現に通知型式を選択するようになっていてもよい。これは、音声通知及び／又はテキスト通知が送られるかどうかを選択することを含んでいてもよい。システム１００は来園者にテキストメッセージが受諾可能かどうかを指し示すようにプロンプトするようになっていてもよい。来園者がテキストを使用したがらない場合、自動音声メッセージが使用されることになろう。同様に、オプションとしてｅメールが提供されてもよい。また、ブロック２６４は、来園者に一部の特定の種類の情報が移動体デバイスへ送られるかどうかを決めさせる段階を表している。例えば、来園者は、通信を予約に関係する通信に限定して、来園者が、クーポン、園の他区域の待ち時間、その他、に関係する通信を受信しないようにしてもよい。なお、移動体デバイスがブロック２５４で既に識別されている場合、プロセス２００は直接ブロック２６４又はブロック２６６へ進むことができることに留意されたい。
【００３７】
システム１００と来園者の間の通信の方式が確立されたら、プロセス２００は予約の詳細事項を確立する段階へ進む。ブロック２６６によって表されている様に、これは、アトラクション、予約期日、及び予約の概略時間、を選択することを含んでいよう。幾つかの実施形態では、予約には１つのアトラクションしか利用できなくなっており、そうするとアトラクションは選択する必要がない。以上に指摘されている様に、本実施形態は、ユーザーが、園に入る前に予約を入れて或る特定のアトラクションへのアクセスを確認できるようにしている。但し、予約の特定時間は、来園者が現に遊園地に入るまでは、システム１００によって入れられることもなく来園者に提供されることもない。実際には、例えば、予約の特定時間は、予約と関連付けられているチケットが来園者エントリシステム１０４によって識別されるまでは入れることができない。
【００３８】
ブロック２６６によって示されている様に、予約の編成の助けとなるように、予約の概略時間（例えば午前又は午後）がシステム１００によって要求される。予約の概略時間は、午前、午後、夜間、として指し示される。別の実施形態では、予約の概略時間は、来園者が選択できる様々な時間ウィンドウの１つであってもよい。概略時間の指示は、予約システム１００内の融通性を可能にさせる。来園者が指し示した概略時間に対応する時間までに到着していなかったら、来園者は、移動体デバイスなどを介して、予約に対する調節又は予約の取消がなされるべきかどうかを決めるように連絡される。来園者が指し示した時間のウィンドウ内に到着していなかった場合、来園者が移動体デバイスを介して応答し損ねた場合、来園者が或る種の更新を提供した場合、などには、予約に対する一定の調節又は予約の取消が自動的になされるようになっていてもよい。予約が調節されると、他の予約も動かされることになる。また、予約が取り消されると、他の予約があちこち動かされ、補欠リスト内の者が利用できるようになった予約スロットを補充するように連絡されることになる。
【００３９】
図２に示されているチケット購入時の様に、本システム１００は既に購入されているチケットに関して複数の予約を入れられるようにしている。実際には、１つの実施形態では、複数の予約が入れられると、最初に、単一チケットと、又は複数チケットのそれぞれと、関連付けられる。複数の予約を単一チケットと関連付けられるようにしていることによって、グループ成員１人が来園者グループのための予約を入れることができるようになる。但し、或る一定の来園者人数より多い予約は遊園地職員からの受諾を要することもある。従って、ブロック２６８は、予約を入れたい来園者の人数を入力する段階を表しており、当該段階は、予約が単独来園者についてであると指し示すことを含んでいることもある。次に、ブロック２７０によって表されている様に、予約は或る一定の閾値より大きなグループについてであるかどうかに関して判定がなされる。グループが閾値を超過している場合、ブロック２７２によって示されている様に、来園者は遊園地のためのグループ販売担当などに連絡を取るように誘導される。これは、来園者を電話を介して該当する連絡先へ自動的に接続すること又はｅメールを該当する連絡先へ自動的に開始させることを含んでいてもよい。
【００４０】
グループサイズが閾値内である場合、ブロック２７６によって表されている様に、アトラクションの収容能力に関して判定がなされる。要求されている予約に対応するには収容能力が足りないとの判定がなされた場合、ブロック２７８によって表されている様に、プロセス２００は来園者に別の期日、異なった時間的期間、又は異なったアトラクションを選択するようにプロンプトする段階を含んでいる。幾つかの実施形態では、グループサイズを縮小又は分割すれば予約が可能になるかもしれない場合、来園者は、利用可能な予約スロットを手に入れるべくグループを分割するか又はグループのサイズを縮小するためのオプションを通知されるようになっていてもよい。来園者が要求した予約への変更を行うことを選んだ場合、プロセスはブロック２６６へ戻る。来園者が要求を改定しないことを選び且つ要求を取り消さないことを選んだ場合、ブロック２８０によって表されている様に、要求されている予約は補欠リストに入れられることになる。実際には、本実施形態は、予約が利用可能でないときに来園者が利用可能になる見込みのある予約スロットを通知されるための待ちリスト中に位置を得ることができるような待ちリスト機能を含んでいる。来園者又はグループが補欠リスト中の位置を割り当てられたら、ブロック２８２によって表されている様に、来園者は、予約が記帳されなかったことを、来園者及び／又はグループに補欠リストのスロットが割り当てられたことによって、通知される。
【００４１】
要求されている単数又は複数の予約にとって十分な収容能力があると判定がなされた場合、ブロック２９０によって指し示されている様に、単数又は複数の来園者が時間的期間内（例えば、要求されている予約の当日、午前の時間内、など）に既にアトラクションにアクセスしたかどうかに関して判定がなされる。来園者が時間指定を有するアトラクションを前に体験していたなら、ブロック２９２では、アクセスの閾値量に達しているかどうか（例えば、単数又は複数の来園者又はグループがアトラクションを同じ日に３回体験してしまったかどうか）について判定がなされる。その様な判定は、アクセス管理機構（例えば、データサーバシステム１０２のシステム又はシステム１２２）によって行われていてもよい。アトラクションにアクセスすることについて制限が無いか又は制限に達していない場合、ブロック２９４に表されている様に単数又は複数の予約の確認が来園者又はグループへ提供されることになり、予約は、データサーバシステム１００及び／又は予約の入れられた特定のアトラクション１１６のための管理システム１２２に記帳される。但し、アトラクションへの以降のアクセスは、以前のアクセスに基づいて制限されるようになっていてもよい。来園者が時間的期間内にアトラクションにアクセスできる回数に制限があって当該制限に達してしまっている場合には、それ以上の予約に対するアクセスは拒否され、来園者はブロック２８０によって指し示されている様に補欠リストに入れられる。例えば、確認は、データサーバシステム１０２から移動体デバイスへの、インターネットシステム１４４、電話システム１４２、テキストシステム１４６、又はＰＯＳデバイスシステム１４８を介して送信されるテキストメッセージ又は音声メッセージを含んでいてもよい。
【００４２】
図４は、本実施形態によるシステム１００を採用する方法のプロセスフロー線図である。プロセスは、全体として、符号４００によって指し示されており、プロセス４００の諸行為又は諸段階を表す様々なブロックを含んでいる。プロセス４００は、本実施形態によれば、データサーバシステム１０２又はシステム１００の他の構成要素の様なシステムによって制御又は円滑化されるものである。実際には、１つの実施形態では、データサーバシステム１０２は、プロセッサ１１８とメモリ１２０を含んでおり、メモリ１２０は、ここに開示されているプロセスの諸段階又は諸行為に対応する入力を受信し及び出力を提供するようにプロセッサ１１８によって実施される命令を記憶している。これらの入力と出力は、それぞれ、データサーバシステム１０２に関してシステム１００の他の構成要素から受信され及び他の構成要素へ方向付けられていてもよい。また、異なった実施形態では、一部の特定の行為又は段階は異なった順序で遂行されていてもよい。
【００４３】
来園者からシステム１００への入力（来園者の訪問前又は訪問中）は、チケット識別、移動体電話番号、予約期日、予約グループサイズ、推定園入場時間（例えば午前又は午後）、関連付けられるチケット識別（例えばグループチケット情報）、その他、を含んでいよう。運営者からシステム１００への入力は、乗物収容能力を指し示すデータ、運行停止時間推定、アトラクションの運行状態、再乗車状態、待ち行列比率、メッセージ、広告、統計量、及びデータ要求、を含んでいよう。自動入力は、来園者が園に入る時間、来園者が待ち行列に入る時間、来園者が待ち行列を出る時間、待機時間推定、及び有効チケット確認、を含んでいよう。システム１００から様々なシステム（例えば、ウェブサイト、モバイルサイト、テキストメッセージングシステム、電話、及びＰＯＳデバイス）への出力は、予約容量チェック結果、一般的メッセージング、広告、利用可能予約期日、及び予約確認、を含んでいよう。システム１００から運営者への出力は、許容乗物待ち行列エントリメッセージ及び予約受諾メッセージを含んでいよう。システム１００から来園者への出力は、状態更新、予約修正メッセージ、予約ウィンドウメッセージ、時間制限警告、アクティブ時間ウィンドウメッセージ、来園者御礼メッセージ、予約の確認、予約に関する更新、一般的メッセージング、広告、入園メッセージ、を含んでいよう。異なった実施形態では、一部の特定の入力及び出力は異なった構成要素へ向けられていてもよい。
【００４４】
プロセス４００は、ブロック４０２によって表されている様に、来園者が該当するアクセス権利を有していることを確認する段階、及びアクセス権利が確認されたら来園者を遊園地に入場させる段階、で始まる。この段階は、来園者エントリシステム１０４の使用を伴っていよう。アクセス権利は、来園者が遊園地にアクセスする有効な権利に対応する識別情報（例えば、物理的なチケット上のバーコード又は移動体デバイス上に記憶されている期日）を提供したと判定することによって確認されている。例えば、これは、来園者によって提供されるチケットを走査すること、及びチケットから読み出される情報が走査されている期日に入場する権利に対応しているとして中央データベースに記憶されていることを確認すること、を含んでいてもよい。実際には、その様な情報は中央データベース１０２に記憶され、来園者へ電子的に発行されるか又は物理的なチケット物品上へ購入時に発行されるようになっていてもよい。
【００４５】
識別情報が確認された後、ブロック４０４によって表されている様に、識別情報はアトラクション予約と関連付けられているかどうかに関して判定がなされる。予約が識別情報と関連付けられていなかった場合、ブロック４０６によって表されている様に、来園者はアトラクションにアクセスするのに待機列を使用してもよいし、グループ予約を有しているグループに参加してもよいし、又は予約を取得してもよい。例えば、来園者が遊園地到着前に予約を確立しなかった場合、来園者は、インターネットシステム１４４、電話システム１４２、テキストシステム１４６、又はＰＯＳデバイスシステム１４８を使用して、予約権利を手に入れる及び／又は予約を入れることができる。１つ又はそれ以上の予約が既に識別情報と関連付けられていて一定の判定基準が満たされている場合には、ブロック４０８によって表されている様にシステム１００は特定の予約時間を自動的に確立する。実際には、ブロック４０２で起こっている様に来園者が遊園地に入っていると識別されたら、確立された予約と関連付けられている概略時間はより特定された時間へ（例えば、アトラクションが予約をアクセスさせることのできる時間ウィンドウ又は概略時間）へ変換され、ブロック４１０に表されている様に来園者は予約の通知（例えば、音声メッセージ、テキストメッセージ、又はｅメール）を移動体デバイスなどを介して提供される。或る具体的な例では、予約を要求する際、来園者は、「午前運行時間中」、「午後運行時間中」、「夜間運行時間中」、「１：００ＰＭから６：００ＰＭの間」、「７：００ＡＭから正午までの間」、その他、の様な広範な時間のウィンドウを提供するようになっていてもよい。来園者の遊園地への入場を確認し次第、来園者が或る特定の区域に入っていることを確認し次第、又は来園者がチェックインし次第、２：００ＰＭから２：１５ＰＭの時間のウィンドウ又は大凡３：００ＰＭの様な予約の特定時間がシステム１００によって割り当てられる。これは、一定の判定基準が満たされたときに自動的に起こるようになっていてもよい。例えば、来園者が事前に定義されている時間フレーム（例えば午前又は午後）内に到着しない場合、予約の利用可能性は変更されているかもしれない。別の例として、アトラクションが技術上の障害のせいで利用できないこともある。予約に係る問題があれば、それらは、予約の確認が通信されるのと同じ方式で来園者へ通信されるようになっていてもよい。
【００４６】
一旦、予約が確認されたら、ブロック４１２によって表されている様にシステム１００は来園者に予約を取り消す又は修正するオプションを利用可能にするようにプロンプトする。例えば、システム１００は、来園者に確認された予約を通知した直後に、一部の特定の予約が取り消される又は修正されるべきかどうかを来園者が指し示すことを要求するようになっていてもよい。来園者が予約は修正される又は取り消されるべきであると指し示した場合、ブロック４１４によって表されている様に、来園者は来園者サービスへ誘導されるなり、図３に示されているプロセス２００の構成要素の遂行を円滑化する予約システム１００の構成要素へ誘導されるなりする。来園者が何れの予約も変更しないことを希望している場合、予約は他の識別情報（例えば、別の来園者に割り当てられているＰＩＦ１１０と関連付けられている情報）へ移譲されてもよい。例えば、特定のアトラクションと関連付けられているチケットを有する来園者は予約を別の来園者のチケットへ移譲することができる。実際には、システム１００はブロック４１６によって示されている様に予約を移譲するようにユーザーをプロンプトするか又は予約を移譲するためのユーザー要求を受信することになる。来園者は、ブロック４２０によって表されている様に、移動体デバイス、キオスク、来園者連絡サービス、など、を使用することによって、予約を別のアクセスパス用の識別情報へ移譲するように応答する。一度に多数の予約が移譲されてもよいし、又は一連の移譲が、ブロック４２０からブロック４１６に向いている矢印によって指し示されている様にループオペレーション式に、所望の移譲が完了するまで遂行されてもよい。なお、システム１００は、来園者が、或る一定の時間ウィンドウ内に（例えば予約時間の少なくとも３０分前まで）、又は既存の予約の時間スロットの前なら何時でも、予約を変更又は修正できるようにしていることに留意されたい。これは、既存の予約を取り消してそれを来園者が好む時間スロットと置き換えることを試みること、既存の予約を別の来園者と取り引きすること、既存の予約を取り消して仮想待機行列に入れられること、など、を含んでいよう。来園者が既存の予約を変更することを試みる場合、当該来園者は、置き換え予約のための他の利用可能な時間スロットを選択する目的で、既存の予約を持たない来園者に勝る優先権を与えられるようになっていてもよい。
【００４７】
全ての移譲が行われたら、ブロック４２２によって指し示されている様に、関連付けられている遅れ又は他の問題に関して判定がなされる。これは、関係のあるアトラクションと関連付けられている監視システム（例えばアトラクションシステム１２２）からのアトラクション情報を周期的に更新すること及び継続的に監視することを含んでいてもよい。予約の変更を引き起こしそうな問題が識別されたなら、ブロック４２４によって表されている様に、来園者は、テキストメッセージ、音声メッセージ、ｅメール、又はキオスクのディスプレイを介して、予約のための新しい時間ウィンドウを通知される。通知は、更に、遅れ又は変更の性質の指示を含んでいてもよい。また、何れかの対立する予約は自動的に調節されるようになっていてもよい。例えば、変更後の予約時間が確立済みの予約時間と対立する場合、確立済みの予約時間は自動的に変更されるようになっていてもよいし、又は来園者が利用可能なオプションの選択から所望の結果を定義するようにプロンプトされるようになっていてもよい。
【００４８】
予約の変更に関して何も問題が識別されないなら、ブロック４３０に表されている様にプロセス４００は予約前の時間的期間に達しているかを引き続き監視する。例えば、ブロック４３０は、現在時刻が予約（例えば時間ウィンドウ）前１５分又はそれ以下かどうかについての判定を表しているとしてもよい。現在時刻が予約前１５分又はそれ以下でない場合、プロセス４００は監視を続行する。現在時刻が予約前１５分又はそれ以下である場合、ブロック４３２によって表されている様に来園者は予約時間が迫っているという注意喚起を提供されることになる。これは、来園者にアトラクションに向かって移動し始めるべきとする提案を含んでいよう。なお、来園者が通知される前の時間的期間は来園者の所在地に依存して変わり得ることに留意されたい。例えば、システム１００が、来園者は自身が予約を有しているアトラクションまで進むのに通常は或る一定の時間がかかる特定の場所にいると識別した場合、予約注意喚起通知と関連付けられる時間的期間はこの距離及び対応する移動時間に基づくことになろう。
【００４９】
予約注意喚起通知の受信後、システム１００は来園者が予約を後ろへずらす又は繰り下げることを可能にさせるようになっていてもよい。例えば、来園者は、ブロック４３４によって指し示されている様に、予約の延期を要求するようにプロンプトされる又は要求することを許容されるようになっていてもよい。来園者が予約の延期を選んだ場合、ブロック４３６によって表されている様に来園者は予約システム１００に移動体デバイス又は予約システム１００に対する他のアクセスポイントを介して通知する。予約システム１００は、その様な要求に対して、遅い時間の新しい予約に関する情報、遅い時間に利用可能な予約時間の選択枝、又は遅い時間は利用可能でない旨の指示、を返答することになろう。システム１００は、次いで、来園者に、例えば、供給された遅い時間を確認又は選択することによって又は既存の予約を変更することを断ることによって、応答させてもよい。新しい予約が確立された場合、システム１００はブロック４３８によって指し示されている様に改定された予約の確認を提供し、プロセスはブロック４３０によって指し示されている様に引き続き現在時刻を予約に対比して監視する。なお、プロセス中の何れの時点においても、来園者は予約を修正することの他に自身の予約を取り消すことを選ぶ可能性もあることに留意されたい。
【００５０】
来園者が予約を遅らせないと決心した場合、ブロック４４０によって表されている様に来園者はアトラクションへと歩き始めるであろう。以上に指摘されている様に、予約注意喚起は、来園者が移動しなくてはならない距離を、来園者の所在地を監視し、注意喚起に予約時間より前の対応する時間の量を提供することによって、勘案している。ブロック４４２によって表されている様に、いつ現在時刻が予約の時間ウィンドウに入るかといった様な、いつ予約時間がアクティブになるかに関して判定がなされる。これは図示の実施形態では継続的に監視されている。現在時刻が予約に一致したとき（例えば現在時刻が予約ウィンドウ内に入ったとき）、ブロック４４４によって指し示されている様に来園者は予約がアクティブであること及び来園者はアトラクションに入場するべきであることを通知される。ブロック４４６によって指し示されている様に、来園者がアトラクションと関連付けられている待ち行列に入ると、来園者は彼らが予約を有していることを該当する識別情報を提供することによって確認するように要求される。例えば、システム１００のデータリーダ１０８が使用されて、チケット又は移動体デバイスとのインターフェースを短い予約待ち行列への入口又はエントリポイントで走査して、来園者が予約を有していることを確認するようになっていてもよい。
【００５１】
来園者識別及び予約情報の初期確認（例えばチケット走査）が待ち行列への入り口で遂行されると、ブロック４４８によって表されている様に、実際にアトラクションに入場するのに先立って更なる検証が要求される。これは、関連付けられているアトラクションでの待ち行列長さの監視を円滑化することができる。予約及び待機行列に対して提供されるアクセスの今後の見通しをこの測定に基づいて調節し予約待ち行列での待ち時間を制御することができる。例えば、安定運行時、本実施形態は、来園者が予約待ち行列で費やす大凡の時間が約１０分になるように制御するようになっていてもよい。実際には、システム１００は運行者に命令して、待ち行列特性を勘案するアルゴリズムに基づく指定された間隔の通りに来園者が待ち行列を抜け出てアトラクションに搭乗できるようにさせる。来園者が乗物に乗り込むために識別情報を確認すること（例えば、チケットを走査すること及び関連付けられている予約データへアクセスすること）は、アトラクションへの以降のアクセスの監視及び制御を円滑化することにもなる。例えば、これを使用すれば、来園者が予約を使用して或る特定のアトラクションに既にアクセスしたことを指し示すことができる。指示は、システム１００に記憶され、識別情報と関連付けられるので、以降の予約要求は、一部の特定のアトラクションが来園者によって既にアクセスされたことがあるかどうかに基づいて制御できるようになる。これは、来園者がアトラクションを出た後にチケットを走査することなどを含んでいてもよい。
【００５２】
システム１００は、アトラクションに技術上の障害が生じて運行できなくなってしまう直前に一部の特定の来園者がアトラクションにアクセスしていたかもしれないことを考慮に入れるアルゴリズムを採用していてもよい。例えば、ブロック４５２は、来園者がアトラクションにチェックインしたが技術上の障害などに因りアトラクションを体験するに至らなかったかどうかを判定する段階を表している。アトラクションが機能していたなら、ブロック４５４によって表されている様に来園者はアトラクションを体験したものと指し示される。アトラクションが機能していなかったら、ブロック４５６によって表されている様に来園者は別の予約か又は技術的障害などが解消され次第すぐにアクセスできる権利を自動的に割り当てられる。アトラクションへのアクセスが阻止された場合又はアトラクション体験が中断された場合には、アトラクションは機能していないと見なされる。
【００５３】
本実施形態は、データサーバシステム１０２の構成要素又はモジュールであってもよいとされる予約取引システムを介しての予約取引を可能にしようとしている。この機能性は、システム１００が複数のアトラクションに係り使用されている場合に利用されることになろう。例えば、第１来園者が第１乗物に１：００ＰＭにアクセスする予約を有しているとしよう。ところが、第１来園者は昼食をとることになり、この予約に間に合うようにアトラクションに到着することができそうもないとする。システムは第１来園者に予約に先立つ或る特定の時間に（例えば１５分前に）第１来園者が予約を持続させるつもりかどうかを決めるようにプロンプトする。プロンプトする時期は、予約が確立されているアトラクション１１６に対比させた来園者の検知された所在地に基づいていてもよい。第１来園者が第１アトラクションに間に合うように到着することができないということで、第１来園者は予約を持続させることはしないつもりであると指し示すことによって応答する。するとシステム１００は自動的に第１来園者のための遅めの予約を探す。第２来園者が４：００ＰＭの予約を有していて、システム１００によって判断されるところでは第１アトラクション付近に現在所在しているとする。システム１００は、この第２来園者を所在地及び予約時間に基づいて識別すると、第２来園者に第１来園者によって保持されている予約との取引が利用可能である旨を指し示すメッセージを送る。第２来園者が取引を受諾すれば、予約は第１来園者から第２来園者へシステム１００によって移譲され、来園者はそれぞれに自身の新しい予約を通知されることになる。これは、時間通りに約束を取り付けることに付随する来園者へのストレスをなくすとともに収容能力一杯を維持することを支援する。
【００５４】
本実施形態は、複数の異なった来園者又はグループのそれぞれに、複数の予約又は日程表(itinerary)をそれら来園者からの入力に基づいて提供するように構成されているプロセス及びシステムを含んでいる。例えば、図５は、本実施形態による、乗物からレストランに及ぶアトラクションに対する複数の予約を来園者がスケジューリングすることを円滑化するためのプロセス６００の全体としての概観を提供するプロセルフロー線図である。図５のプロセス６００は、全体として、来園者の園内及び園施設内での時間を実質的に最適化する日程表を確立する段階を描いている。なお、プロセス６００は高位で描かれており、以上に図２−図４に関して論じられている特定のプロセス機構を含んでいてもよいことに留意されたい。また、プロセス６００は、以上に論じられているシステム１００の全機構又は一部の機構を使用して実施されていてもよい。
【００５５】
プロセス６００は、ブロック６０２によって表されている様に、来園者が予約システムと通信し一部の特定のアトラクションの選好(attraction preferences)を提供することを可能にさせることで始まる。これは、園の内部又は外部の来園者のために予約システムへのアクセスを提供する段階を含んでいてもよい。例えば、来園者は、来園者が体験に興味のある一部の特定のアトラクションの一覧又は来園者が体験に興味のあるアトラクションの型式の一覧を提供することができる。これは、具体的なアトラクション及び関連付けられる予約の好みの時間を各アトラクションの興味のレベルを指示する順位付けと併せて提供する段階を含んでいてもよい。また一方、来園者は興味のあるアトラクションの一覧を単に提供してシステムに時間を提示させるようにしてもよい。同様に、来園者は一部の特定のアトラクション型式（例えば小さい子供達に適した乗物）を単に提供してシステムに日程表を提示させるようにしてもよい。選好が入力されたら、ブロック６０４によって表されている様に予約システムは関連付けられるデータを受信し、次いでプロセスはブロック６０６によって表されている様にデータを処理して各来園者のためのスケジュールを実質的に最適化させ且つ園アトラクションの利用率を最適化させる。来園者によって提供される選好に応えて、予約システムはブロック６０８によって表されている様に最適化アルゴリズムを遂行し日程表案を出力する。１つの実施形態では、来園者は園に入る前に入力を提供することはできても、園に入った後まで日程表案を受け取ることはない。
【００５６】
ブロック６０６で遂行されるものとして表されているアルゴリズムは、メモリに記憶されていて、システムのプロセッサ（データサーバシステム１０２のプロセッサ１１８）によって遂行されるとブロック６０８によって表されている様に日程表案を作るようになっていてもよい。来園者は次いでブロック６１０によって表されている様に日程表を確認するか又は日程表案を吟味した後に異なった日程表を要求することができる。確認がシステムによって受信された場合、プロセスはブロック６１２によって表されている様に確認済みの日程表を提供する。来園者が日程表を修正することを選んだ場合、来園者は特定の修正を要するのか取消が所望されるのかについて指し示すようにプロンプトされる。取消が所望される場合、ブロック６１６によって表されている様にプロセスは終了し取消が確認される。修正が所望される場合、プロセスはブロック６０４に戻り、及び／又はスケジュールへの変更を可能にさせる。なお、システムは、プロセス６００の何れの時点においても、最適化データに基づいて、アトラクションの利用可能性及び来園者の好みのスケジュールの認識されている制限事項に基づく修正案を提供するようになっていてもよいことに留意されたい。
【００５７】
ブロック６０６で遂行されるものとして表されているアルゴリズムは、来園者にとって興味のあるものとして一覧に挙げられているアトラクションの所在地を識別し、数々の要因又は興味のある個々のアトラクション間の移行の容易さの様な最適化データに基づいてスケジュールを確定するように機能していてもよい。例えば、システムは、来園者好みのアトラクションの予約を来園者が園全体を通してアトラクションからアトラクションへと同じ道を引き返す必要なしに移動できるように直列に並べて含んでいる日程表を提示することができる。日程表は、更に、スケジュール内のギャップに基づいて提示される経路に沿ったアトラクションの予約を含んでいてもよい。アルゴリズムは、距離とアトラクションの所在地を考慮に入れることに加えて、園の運行効率の最大化、他者の予約、興味のレベル、食事時間、共通のグループ（例えばソーシャルネットワーク）に入っていると特定される他の来園者とのスケジュール重複、その他、を考慮するようになっていてもよい。例えば、最適化アルゴリズムは、アトラクション間の移動を制限している日程表ではあるが但し要望の高いアトラクションに対する特定時間の予約の利用可能性の無さにも対応している日程表を提示するようになっていてもよい。アルゴリズムは、更に、確立されている予約及び履歴園データに基づいて特定の区域での予想される過剰な混み合いを避けるために園全体を通じて来園者を誘導するようになっていてもよい。アルゴリズムは、更に、食事時間の周りで休憩が必要になるであろうことを考慮に入れ、レストランアトラクションの予約を提示するなり単に手近のレストランを勧めるなりするようになっていてもよい。アルゴリズムは、更に、一部の特定の現実的な事柄を考慮に入れるようになっていてもよい。例えば、アルゴリズムは、食事後の或る時間については一部の極めて激しいアトラクションが除外されるように日程表を調節するようになっていてもよい。アルゴリズムは、更に、一部の特定の時間に十分に利用されていないアトラクションへの予約又は訪問を提示することによって園の利用率最大化を図るようになっていてもよい。１つの実施形態では、アルゴリズムは、アトラクションに関し来園者によって提供されている興味のレベルの順位付け（例えば、高、中、低）を考慮し、これを勘案した日程表を提供している。例えば、アルゴリズムは、興味の高いアトラクションの予約を一日を通して分散させ終日に亘って興味が持続されるように手配するか、又は全てが当日の早い時期に起こるようにして興味の高いアトラクション全てが早く体験されることを確実にするように手配するようになっていてもよい。
【００５８】
本実施形態は、更に、別々に到着する団体、一旦園に入ったらばらばらになる団体、又はスケジューリングの一定の重複を所望する団体について、当該団体のための園内待ち合わせを円滑化している。例えば、図６は、来園者スケジュールを調整するための本実施形態により遂行されるプロセス７００を描いている。プロセスは、来園者が、自身が前から成員である団体と合流したいと思っているかどうか又は来園者が別の団体の日程表と重複する日程表を持ちたいと思っているかどうかを指し示すように来園者をプロンプトする段階で始まる。この初期手続きはブロック７０２によって表されており、システム１００と連携するセルラー電話の様な、以上にシステム１００に関連付けて論じられているアクセス機構の何れかを使用して遂行されていてもよい。ブロック７０２は、来園者及びグループを識別する段階を含んでいる。
【００５９】
来園者が、自身が成員であるグループ又は団体と待ち合わせることを希望する場合、プロセスはブロック７０４によって表されている様に待ち合わせ場所を識別し、ブロック７０６によって表されている様に、来園者をその場所へ誘導し、及び／又は団体にその場所で来園者と待ち合わせるように命令するようになっていてもよい。これは、概して、来園者が彼らの団体と一体に園に到着していない場合又は訪問中に彼らの団体から割れた場合に起こるであろう。団体の再結集を円滑化するために、本実施形態は、ＰＩＦ測位情報を利用して来園者を所望の団体へ誘導する、団体のための確立された日程表を使用して待ち合わせ場所を提供する、来園者対来園者通信を使用して待ち合わせ場所を通信させる、及び／又はシステム対来園者通信を使用して待ち合わせ場所を通信させる、ことができる。例えば、日程表上の次のアトラクションが来園者に提供され、団体にはテキストメッセージを介して来園者が次のアトラクションの予約で団体に加わるはずであることが知らされることになる。また、来園者対来園者通信を団体と来園者の間で予約システム（例えば、テキストメッセージング又は音声通信）を介して円滑化させることもできる。
【００６０】
来園者が、来園者又は来園者のグループ又は団体と少なくとも１つの他の団体との間の重複を確立することを希望している場合、プロセス７００は図示の実施形態のブロック７１０へ進む。これは、２つ又はそれ以上のグループ或いは個々人が園で一緒に時間を過ごすと決めた場合に起こる。例えば、或る特定の地域からのグループが、彼らが興味の共通するアトラクションを一緒に体験できるように、そして一方では彼らの別々のグループで他のアトラクションも体験できるように、重複するスケジュールを確立することを決めることもある。グループ又は個々人は既に予約（例えば日程表）を有していることもあれば有していないこともある。ブロック７１０は、概して、グループ又は個々人を識別し、重複するアトラクション体験を持ちたいという要望を確認する段階を表している。これが確立されたら、ブロック７１２に表されている様に、１つ又はそれ以上のグループは既存の日程表又は予約を有しているかどうかについて判定がなされ、日程表又は予約が何も確立されていない場合には選好が提供される。既存の日程表及び予約は考慮に入れられ、それ以外には選好が提供される。これは、興味の共通するアトラクション及び所望の重複を提供することを含んでいよう。すると、ブロック７１４によって表されている様に、アルゴリズムが、明示的な指定に基づく来園者の共通の興味、選好の比較、既存の日程表の比較、及び／又は最適化データに基づいて遂行され、２人又はそれ以上の個別の来園者又は２つ又はそれ以上の来園者のグループについて、重複する日程表を提供させる。
【００６１】
ここには本発明の一部の特定の機構しか図示及び記載されていないが、多くの修正及び変更が当業者には想起されるであろう。従って、付随の特許請求の範囲は、その様な修正及び変更を本発明の真髄に入るものとして網羅することを意図するものと理解されるべきである。
【符号の説明】
【００６２】
１００  待ち行列管理システム
１０２  データサーバシステム
１０４  来園者エントリシステム
１０６  履行システム
１０８  データリーダ
１１０  携帯式識別機構（ＰＩＦ）
１１２  追跡システム
１１４  バックエンドコンピュータシステム
１１６  アトラクション
１１８  プロセッサ
１２０  メモリ
１２２  監視及び／又はデータ保守システム
１２４  デバイスモニタ
１２６  待ち行列
１２８  乗物
１４２  自動電話システム
１４４  インターネット
１４６  テキストメッセージングシステム
１４８  ポイント・オブ・セール（ＰＯＳ）デバイスシステム
１５０  電話
１５２  インターネット
１５４  ＰＯＳデバイス
１５６  ＰＯＳデバイス
１６０  土産物店
１６２  待機列
１６４  予約列
１６６  第１データリーダ
１６８  第２データリーダ
【図１】
2019071121.tif 000003
【図２】
2019071121.tif 000004
【図３】
2019071121.tif 000005
【図４Ａ】
2019071121.tif 000006
【図４Ｂ】
2019071121.tif 000007
【図５】
2019071121.tif 000008
【図６】
2019071121.tif 000009
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
少なくとも１つのプロセッサ及びメモリを含むデータサーバシステムと、
来園者のある区域への到着の概略の時間的期間の指示を含む予約要求を受信するように構成された前記データサーバシステムのインターフェースシステムと、
アトラクションにアクセスするための予約スロットを前記来園者の識別情報に相関付けるように構成された前記データサーバシステムの予約権利割当システムと、
前記識別情報と関連付けられている携帯式識別機構が前記区域へ到着したときを判定するように構成された前記データサーバシステムの検知システムと、
特定の時間ウィンドウでの前記アトラクションにアクセスする予約を確立するように構成されている、前記データサーバシステムの予約割当システムと、を備える
待ち行列管理システム。
【外国語明細書】
2019071121000001.pdf